(57)【特許請求の範囲】
【請求項１】
携帯電話を、モニタを表側として脱着自在にセットして内蔵される電池を充電する携帯電話の充電台であって、
充電台が、携帯電話を脱着自在に表面にセットする装着台と、この装着台の背面に平行な面に垂直な軸を回転軸として回転自在に連結している角度調整ブロックとを備え、
角度調整ブロックは、装着台の背面と対向するように配設される底面と、この底面に対する傾斜角（α）が異なる少なくとも２面のテーパー面とを有する形状に形成され、
この角度調整ブロックが装着台に対して回転されて、傾斜角（α）が異なるテーパー面を平面に配置して、装着台にセットされる携帯電話の仰角（θ）を変更できるようにしてなり、
装着台の外形が長方形で、この装着台の背面に角度調整ブロックが連結し、かつ、長方形の装着台を横姿勢と縦姿勢に支持する片側に角度調整ブロックが偏在している携帯電話の充電台。
【請求項２】
角度調整ブロックの全体形状が、多角形の底面と、その周囲にある複数のテーパー面とで形成されている多角錐状のブロックである請求項１に記載される携帯電話の充電台。
【請求項３】
角度調整ブロックの底面が四角形で、角度調整ブロックの全体形状を四角錐状のブロックとしている請求項２に記載される携帯電話の充電台。
【請求項４】
携帯電話をセットするチルト台を装着台に連結しており、このチルト台は装着台に傾動自在に連結され、このチルト台を傾動して携帯電話の仰角（θ）を変更するようにしてなる請求項１に記載される携帯電話の充電台。
【請求項５】
装着台が四角形で、携帯電話を縦姿勢と横姿勢にセットできるようにしてなる請求項１に記載される携帯電話の充電台。
【発明の詳細な説明】
【技術分野】
【０００１】
本発明は、モニタを見ながら携帯電話を充電できる携帯電話の充電台に関し、とくにモニタにテレビ画像を表示できる携帯電話の充電台に関する。
【背景技術】
【０００２】
モニタにテレビ画像を表示できる携帯電話が開発されている。この携帯電話は、たとえばワンゼグ等のテレビ画像を受信して表示できる。この携帯電話の仰角を調整しながら充電できる充電台は開発されている。（特許文献１参照）
【特許文献１】特開２００６−２７０２３７号公報
【発明の開示】
【発明が解決しようとする課題】
【０００３】
特許文献１の充電台は、携帯電話を装着する本体部とスタンドを備えている。スタンドは、本体部の背面に回転軸を介して連結しているアーム部と、このアーム部の先に側面視略Ｌ字又は略Ｔ字型に連結した略三角形状の接地ベース部とからなる。アーム部の回転軸は、本体部の背面左右方向に対して所定の振れ角を有しており、接地ベース部は、アーム部のねじれ回転により携帯電話側部に向けて突出するホールド部を有している。この充電台は、スタンドの回転と接地ベース部の接地面又は接地辺を選択することで起立（縦置き）設置と、横斜め置き設置と、伏臥（寝かせ）設置の三形態の使用ができる。また、横斜め置き設置では、表示パネルを横向きで設置面に対して所定角度傾けた状態に保持できる。
【０００４】
しかしながら、特許文献１の充電台は、構造が複雑となるばかりでなく、携帯電話を安定して最適な仰角に自立するのが難しい欠点がある。本発明は、さらにこの欠点を解決することを目的に開発されたものである。本発明の重要な目的は、簡単な構造で携帯電話を安定して最適な仰角に自立できる携帯電話の充電台を提供することにある。
【課題を解決するための手段】
【０００５】
本発明の携帯電話の充電台は、携帯電話１０を、モニタ１１を表側として脱着自在にセットして内蔵される電池を充電する。充電台は、携帯電話１０を脱着自在に表面にセットする装着台２０、８０と、この装着台２０、８０の背面に平行な面に垂直な軸を回転軸４０として回転自在に連結している角度調整ブロック３０、７０とを備える。角度調整ブロック３０、７０は、装着台２０、８０の背面と対向するように配設される底面３１、７１と、この底面３１、７１に対する傾斜角（α）が異なる少なくとも２面のテーパー面３２、７２とを有する形状に形成している。充電台は、この角度調整ブロック３０、７０を装着台２０、８０に対して回転して、傾斜角（α）が異なるテーパー面３２、７２を平面に配置して、装着台２０、８０にセットされる携帯電話１０の仰角（θ）を変更できるようにしている。装着台２０、８０の外形が長方形で、長方形の装着台２０、８０を横姿勢と縦姿勢に支持する片側に偏在して、背面に角度調整ブロック３０、７０を連結している。
【０００７】
本発明の請求項２の携帯電話の充電台は、角度調整ブロック３０、７０の全体形状を、多角形の底面３１、７１と、その周囲にある複数のテーパー面３２、７２とで形成している多角錐状のブロックとしている。さらに、本発明の請求項３の携帯電話の充電台は、角度調整ブロック３０、７０の底面３１、７１を四角形として、角度調整ブロック３０、７
０の全体形状を四角錐状のブロックとしている。
【０００８】
本発明の請求項４の携帯電話の充電台は、携帯電話１０をセットするチルト台９０を装着台８０に連結しており、このチルト台９０を装着台８０に傾動自在に連結して、このチルト台９０を傾動して携帯電話１０の仰角（θ）を変更するようにしている。
【０００９】
本発明の請求項５の携帯電話の充電台は、装着台２０、８０が四角形で、携帯電話１０を縦姿勢と横姿勢にセットできるようにしている。
【発明の効果】
【００１０】
本発明の携帯電話の充電台は、簡単な構造としながら携帯電話を縦姿勢と横姿勢の両方で最適な仰角に自立できる。とくに、本発明の充電台は、テーパー面を平面に配置することにより、携帯電話を安定して理想的な仰角（θ）に安定して設置できる特徴が実現される。それは、本発明の充電台が、モニタを表面として携帯電話を脱着自在にセットする装着部の背面に、角度調整ブロックを回転自在に連結しており、この角度調整ブロックを、装着台の背面と対向するように配設される底面と、この底面に対する傾斜角（α）が異なる少なくとも２面のテーパー面とを有する形状に形成しており、この角度調整ブロックを装着台に対して回転して、傾斜角（α）が異なるテーパー面を平面に配置して、携帯電話の仰角（θ）を変更できるからである。
また、充電台は、装着台の外形を長方形として、この長方形の装着台を、横姿勢と縦姿勢に支持する片側に偏在して、背面に角度調整ブロックを連結している。この充電台は、携帯電話を縦姿勢と横姿勢の両方で仰角（θ）を調整して便利に使用できる。
【００１２】
また、本発明の請求項２の充電台は、角度調整ブロックの全体形状を、多角形の底面と、その周囲にある複数のテーパー面とで形成されている多角錐状のブロックとするので、テーパー面を広くて大きくして、水平台に安定して設置できる特長がある。とくに、本発明の請求項３の充電台は、角度調整ブロックの底面を四角形とし、角度調整ブロックの全体形状を四角錐状のブロックとしているので、各々のテーパー面を広くしてより安定に水平台に載置できる。
【００１３】
さらに、本発明の請求項４の充電台は、携帯電話をセットするチルト台を装着台に傾動できるように連結して、チルト台を傾動して携帯電話の仰角（θ）を変更するようにしているので、角度調整ブロックとチルト台の両方で携帯電話を理想的な仰角（θ）に調整できる特徴がある。
【発明を実施するための最良の形態】
【００１４】
以下、本発明の実施例を図面に基づいて説明する。ただし、以下に示す実施例は、本発明の技術思想を具体化するための携帯電話の充電台を例示するものであって、本発明は携帯電話の充電台を以下のものに特定しない。さらに、この明細書は、特許請求の範囲に示される部材を、実施例の部材に特定するものでは決してない。
【００１５】
図１ないし図１４に示す携帯電話の充電台は、携帯電話１０を、モニタ１１を表側として脱着自在にセットして、内蔵する電池を充電する。この充電台は、携帯電話１０を脱着自在に表面にセットする装着台２０と、この装着台２０の背面に平行な面に垂直な軸を回転軸４０として回転自在に連結している角度調整ブロック３０とを備える。角度調整ブロック３０は、装着台２０にセットされる携帯電話１０の仰角（θ）を調整する。
【００１６】
装着台２０は、携帯電話１０を脱着できるようにセットできる装着部２１を表面側に設けている。図の装着部２１は、周壁２２の内側に携帯電話１０をセットして、周壁２２で携帯電話１０を定位置にセットできる形状としている。周壁２２は、長方形である携帯電話１０の４辺の外側に突出して設けられて、携帯電話１０の縦方向のずれと、横方向のずれを阻止する。装着部は、図示しないが、ここにセットされる携帯電話を定位置に保持する係止フックを設けることもできる。
【００１７】
さらに、装着台２０は、携帯電話１０のケースに設けている電源端子（図示せず）に接触する充電端子１５を、装着部２１に設けている。充電端子１５は、装着部２１にセットされる携帯電話１０の電源端子に接触する位置に設けている。充電端子１５は導電性の弾性金属で、装着部２１にセットされる携帯電話１０の電源端子に弾性的に押圧されて電気接続される。この充電端子１５は、充電台に内蔵される充電電源、あるいは外付けの充電電源に接続される。充電端子１５が電源端子に接続されて、装着部２１にセットされる携帯電話１０に内蔵される電池が充電電源で充電される。
【００１８】
図の装着台２０は、その外形を、携帯電話１０の外形よりも大きい外形の長方形としている。長方形の装着台２０は、背面に連結している角度調整ブロック３０に支持されて、携帯電話１０を縦姿勢と横姿勢として最適な仰角（θ）に支持する。角度調整ブロック３０は、長方形の装着台２０を縦姿勢と横姿勢に支持できるように、片側に偏在して装着台２０に連結している。すなわち、角度調整ブロック３０は、図３に示すように、装着台２０と携帯電話１０を縦姿勢とする状態で、装着台２０の背面の下部に連結されて、装着台２０を背面から支持して、携帯電話１０を所定の仰角（θ）で水平台５０の上に配置する。
【００１９】
角度調整ブロック３０は回転されて、装着台２０にセットされる携帯電話１０の仰角（θ）を変更する。したがって、角度調整ブロック３０は、底面３１と、この底面３１に対する傾斜角（α）が異なる少なくとも２面のテーパー面３２を有する形状に形成している。図２と図７に示す角度調整ブロック３０は、全体形状を多角錐状とするブロック状としている。この角度調整ブロック３０は、多角形の底面３１と、その周囲にある複数のテーパー面３２とで多角錐状のブロックとしている。ただし、本明細書において、多角錘状とは、底面３１に対向する頂上部分を必ずしも頂点とする錐体形状には限定しない。たとえば、図２と図７に示す角度調整ブロック３０は、完全な四角錐ではなく、頂上部分を辺とする屋根型の略四角錐形状としている。したがって、本明細書において、多角錘状とは、このように頂上部分を辺とする略多角錘形状や、部分的に曲面を有する略多角錘形状や、頂上面を平面や曲面とする略多角錘台形状等のように、底面を多角形として、頂上部分に向かって断面積が次第に小さくなる種々の形状を含む広い意味で使用する。
【００２０】
角度調整ブロック３０はプラスチック製で、回転軸４０を介して装着台２０に回転できるように連結される。図の充電台は、底面３１に装着台２０の背面を連結している。多角錐状の角度調整ブロック３０は、底面３１を最も大きな面積として、装着台２０に安定してしっかりと連結できる。また、多角錐状の角度調整ブロック３０は、テーパー面３２を水平台５０に置いて、充電台を安定して支持できる。角度調整ブロック３０は、底面３１の外形を装着台２０の外形よりも小さくして、装着台２０の外周から突出しない形状としている。
【００２１】
図の角度調整ブロック３０は、全体の形状を四角錐形状としている。四角錐形状の角度調整ブロック３０は、底面３１と４つのテーパー面３２とで構成される。図４ないし図６に示す角度調整ブロック３０は、４つのテーパー面３２をプレートで構成するが、底面３１はプレートで構成することなく、底面を開口してなる中空の形状として、全体の形状を四角錐形状としている。この形状の角度調整ブロック３０は、プラスチックで一体的に成形して低コストにできる。このように、底面３１とテーパー面３２を備える角度調整ブロック３０は、必ずしも全ての面をプレートで構成する必要はなく、開口部とすることもできる。開口部で構成される面は、開口端縁を含む面が底面またはテーパー面となる。
【００２２】
角度調整ブロック３０は、底面３１の中心に回転軸４０を固定している。図４ないし図６の角度調整ブロック３０は、底面３１の中心に位置して、回転軸４０に連結される連結ボス３３を一体成形して設けている。図の連結ボス３３は、テーパー面３２に設けた円柱状の凹部３４の底を、角度調整ブロック３０の底面３１まで延長してなる形状として設けている。この連結ボス３３は、先端面に止ネジ４５を挿通する貫通孔３５を開口しており、この貫通孔３５に挿通される止ネジ４５を回転軸４０にねじこんで、角度調整ブロック３０を回転軸４０に固定している。図の連結ボス３３と回転軸４０は、互いの連結面に設けた複数の位置決凸部３６と位置決凹部４６を介して正確な位置に連結している。位置決凸部３６と位置決凹部４６を介して連結される連結ボス３３と回転軸４０は、角度調整ブロック３０を回転させる状態において、連結ボス３３と回転軸４０とが対向面で相対的に回転することなく一体的に回転される。
【００２３】
回転軸４０は、装着台２０に回転できるように連結されて、角度調整ブロック３０を装着台２０に連結する。回転軸４０は、図８に示すように、円柱状のブロックで、装着台２０の底面プレート２３と背面プレート２４とで挟着されて所定の位置に回転できるように配置される。底面プレート２３は、回転軸４０の中心孔４２を案内する回転凸部２６を、一体的に成形して設けている。背面プレート２４は、回転軸４０の外周面に沿うガイド筒２５を、一体的に成形して設けている。図４、図５、及び図８の回転軸４０は、内側の一端にガイド筒２５の内径よりも大きな鍔部４１を設けて、ガイド筒２５から抜けないようにしている。
【００２４】
図の回転軸４０は、回転範囲を１８０度に制限して装着台２０に連結している。この回転軸４０は、図８に示すように、半径方向に伸びるアーム４３を固定している。アーム４３の回転角を１８０度に制限するストッパ２７を装着台２０の底面プレート２３の内側に突出して設けている。ストッパ２７は、回転軸４０のアーム４３がこれを超えて移動できない高さに成形されている。さらに、装着台２０の底面プレート２３は、アーム４３を所定の回転位置に係止する係止凸部２８（３ヶ所）も内面に突出して設けている。アーム４３は、係止凸部２８に対向する内側に、凹部（図示せず）を備えており、アーム４３を回転すると、この凹部と係止凸部２８とが嵌合することで、アーム４３を含む回転軸４０がこの位置で保持されることになる。係止凸部２８は、アーム４３が弾性変形して、係止凸部２８を超えて移動できる。ストッパ２７は、回転軸４０の回転角を１８０度とする位置に配置され、係止凸部２８は、回転軸４０を所定の位置に係止する位置、すなわち、角度調整ブロック３０の各々のテーパー面３２を水平台５０に配置して、装着台２０を所定の仰角（θ）に調整できる位置に配置している。図の角度調整ブロック３０は、底面３１を正方形とする四角錐形状としているので、係止凸部２８が回転軸４０を係止する位置を９０度ピッチとしている。ストッパ２７と係止凸部２８は、プラスチック製の底面プレート２３に一体的に成形して設けられる。
【００２５】
回転軸４０の回転位置を所定の位置に係止できる充電台は、角度調整ブロック３０のテーパー面３２を水平台５０に置いて、携帯電話１０を縦姿勢又は横姿勢として所定の仰角（θ）にできる位置で角度調整ブロック３０を停止させる。四角錐状の角度調整ブロック３０は、係止凸部２８で９０度ピッチに回転を係止し、ストッパ２７で回転範囲を１８０度とする。この構造の充電台は、回転軸４０に連結される角度調整ブロック３０の停止位置を９０度ピッチで変更して、四角錐である角度調整ブロック３０の３つのテーパー面３２を水平台５０に置いて、携帯電話１０を縦姿勢又は横姿勢として所定の仰角（θ）で支持できる。すなわち、携帯電話１０を縦姿勢又は横姿勢とする状態で、携帯電話１０の仰角（θ）を、それぞれ最大３パターンに変更できる。ただ、回転軸の回転範囲は、必ずしも１８０度に制限する必要はない。充電台は、回転軸の回転範囲に制限を設けることなく、３６０度の範囲で回転できる構造とすることもできる。この充電台は、角度調整ブロックの停止位置を９０度ピッチで変更して、四角錐である角度調整ブロックの４つのテーパー面を水平台に置いて、携帯電話を縦姿勢又は横姿勢として所定の仰角（θ）で支持できる。すなわち、携帯電話を縦姿勢又は横姿勢とする状態で、携帯電話の仰角（θ）を、それぞれ最大４パターンに変更できる。
【００２６】
以上の充電台は、装着台２０に対する回転軸４０の回転範囲と係止位置を制限して、角度調整ブロック３０の停止位置を特定する構造としているが、充電台は、回転軸を装着台に対して制限なく自由に回転できる構造として、装着台に対する角度調整ブロックの回転範囲と係止位置を制限する構造とすることもできる。この構造は、角度調整ブロックと装着台の背面プレートとの対向面に回転範囲や係止位置を制限する凹凸等を設けて実現できる。
【００２７】
さらに、以上の充電台は、角度調整ブロック３０に回転軸４０を固定して、この回転軸４０を回転できるように装着台２０に連結しているが、本発明の充電台は、回転軸を装着台に固定して、角度調整ブロックに回転できるように連結し、あるいはまた、回転軸を角度調整ブロックと装着台の両方に回転できるように連結して、角度調整ブロックを装着台に回転できるように連結することもできる。
【００２８】
四角錐状の角度調整ブロック３０は、装着台２０にセットする携帯電話１０の仰角（θ）を調整するために、４つのテーパー面３２をそれぞれ異なる傾斜角（α）としている。図の角度調整ブロック３０は、装着台２０にセットする携帯電話１０のモニタ１１を見やすいように、各々のテーパー面３２の傾斜角（α）を、たとえば、４０度、５０度、６０度、７０度としている。図２に示す角度調整ブロック３０は、第１のテーパー面３２Ａの傾斜角（α）を５０度、第２のテーパー面３２Ｂの傾斜角（α）を６０度、第３のテーパー面３２Ｃの傾斜角（α）を４０度、第４のテーパー面３２Ｄの傾斜角（α）を７０度としている。図２の充電台は、角度調整ブロック３０を、図の位置から矢印で示す方向に１８０度回転できるので、携帯電話１０を横姿勢とする状態では、第１のテーパー面３２Ａ、第２のテーパー面３２Ｂ、及び第３のテーパー面３２Ｃを水平台に置く姿勢で使用でき、また、携帯電話１０を縦姿勢とする状態では、第４のテーパー面３２Ｄ、第１のテーパー面３２Ａ、及び第２のテーパー面３２Ｂを水平台に置く姿勢で使用できる。
【００２９】
この充電台は、図９ないし図１４に示すように、水平台５０に載せるテーパー面３２を変更して、携帯電話１０の仰角（θ）を種々に調整できる。なお、本明細書において、携帯電話１０の仰角（θ）とは、充電台にセットされる携帯電話１０のモニタ面における垂線が水平面となす角を示している。
ここで、携帯電話の仰角（θ）＝９０度−テーパー面の傾斜角（α）となる。
【００３０】
図９は、携帯電話１０を横姿勢として、第１のテーパー面３２Ａを水平台５０に置く使用状態を示している。第１のテーパー面３２Ａは５０度としているので、このときの携帯電話の仰角（θ）は４０度となる。
図１０は、携帯電話１０を横姿勢として、第２のテーパー面３２Ｂを水平台５０に置く使用状態を示している。第２のテーパー面３２Ｂは６０度としているので、このときの携帯電話の仰角（θ）は３０度となる。
図１１は、携帯電話１０を横姿勢として、第３のテーパー面３２Ｃを水平台５０に置く使用状態を示している。第３のテーパー面３２Ｃは４０度としているので、このときの携帯電話の仰角（θ）は５０度となる。
図１２は、携帯電話１０を縦姿勢として、第４のテーパー面３２Ｄを水平台５０に置く使用状態を示している。第４のテーパー面３２Ｄは７０度としているので、このときの携帯電話の仰角（θ）は２０度となる。
図１３は、携帯電話１０を縦姿勢として、第１のテーパー面３２Ａを水平台５０に置く使用状態を示している。第１のテーパー面３２Ａは５０度としているので、このときの携帯電話の仰角（θ）は４０度となる。
図１４は、携帯電話１０を縦姿勢として、第２のテーパー面３２Ｂを水平台５０に置く使用状態を示している。第２のテーパー面３２Ｂは６０度としているので、このときの携帯電話の仰角（θ）は３０度となる。
【００３１】
さらに、本発明の充電台は、角度調整ブロックのテーパー面の傾斜角（α）を種々に設計して、携帯電話の仰角（θ）を最適に変更できる。図１５ないし図２０に示す角度調整ブロック７０は、底面７１に対するテーパー面７２の傾斜角（α）を、９０度、４５度、３５度、７５度としている。この角度調整ブロック７０は、第１のテーパー面７２Ａの傾斜角（α）を９０度、第２のテーパー面７２Ｂの傾斜角（α）を４５度、第３のテーパー面７２Ｃの傾斜角（α）を３５度、第４のテーパー面７２Ｄの傾斜角（α）を７５度としている。この充電台は、たとえば、図１７ないし図２０に示すように、水平台５０に載せるテーパー面７２を変更して、携帯電話１０の仰角（θ）を種々に調整できる。
なお、図１５ないし図２０において、前述の実施例と同じ構成要素については、同符号を付してその説明を略している。
【００３２】
図１７は、携帯電話１０を横姿勢として、第１のテーパー面７２Ａを水平台５０に置く使用状態を示している。第１のテーパー面７２Ａは９０度としているので、このときの携帯電話の仰角（θ）は０度となる。
図１８は、携帯電話１０を横姿勢として、第２のテーパー面７２Ｂを水平台５０に置く使用状態を示している。第２のテーパー面７２Ｂは４５度としているので、このときの携帯電話の仰角（θ）は４５度となる。
図１９は、携帯電話１０を横姿勢として、第３のテーパー面７２Ｃを水平台５０に置く使用状態を示している。第３のテーパー面７２Ｃは３５度としているので、このときの携帯電話の仰角（θ）は５５度となる。
図２０は、携帯電話１０を縦姿勢として、第４のテーパー面７２Ｄを水平台５０に置く使用状態を示している。第４のテーパー面７２Ｄは７５度としているので、このときの携帯電話の仰角（θ）は１５度となる。
【００３３】
以上の充電台は、角度調整ブロック３０を四角錐状とするが、本発明の充電台は、角度調整ブロックを三角錐状のブロックとし、あるいは五角錐以上の多角錐状のブロックとすることもできる。角度調整ブロックを五角錐以上の多角錐状とする充電台は、さらに各々のテーパー面の傾斜角（α）を異なる角度として、携帯電話を種々の仰角（θ）に支持できる。
【００３４】
さらに、図２１ないし図２４に示す充電台は、携帯電話１０をセットするチルト台９０を装着台８０に連結している。この充電台は、チルト台９０を装着台８０の正面に傾動自在に連結しており、装着台８０に対してチルト台９０を傾動させて、携帯電話１０の仰角（θ）を変更できるようにしている。
【００３５】
チルト台９０は、携帯電話１０を脱着自在にセットできる装着部９１を表面側に設けている。図のチルト台９０は、周壁９２の内側に携帯電話１０をセットして、周壁９２で携帯電話１０を定位置にセットできる形状としている。周壁９２は、長方形である携帯電話１０の４辺の外側に突出して設けられて、携帯電話１０の縦方向のずれと、横方向のずれを阻止する。さらに、チルト台９０は、背面に突出して、スライド凸部９３を設けている。図のチルト台９０は、背面の中央部から突出して、球面状のスライド凸部９３を設けている。この形状のスライド凸部９３は、装着台８０に設けた湾曲面状のスライド凹部８１の表面に沿って滑らかに移動できる特徴がある。さらに、球面状のスライド凸部９３は、頂上部から突出するスライド軸９４を設けている。このチルト台９０は、スライド凸部９３に設けたスライド軸９４を、装着台８０のスライド凹部８１の表面に設けたガイド部８４に沿って移動させて傾動する。傾動するチルト台９０は、任意の位置で停止できるように、スライド凹部８１の底面プレート８３に対して抵抗のある状態でスライド凸部９３を連結している。チルト台９０は、底面プレート８３に開口したガイド部８４に挿通されるスライド軸９４を押圧部材９５に挿入すると共に、先端に固定具９６をねじこんで、スライド凸部９３の頂上面と押圧部材９５とで底面プレート８３を挟着して、スライド凸部９３を抵抗のある状態でスライド凹部８１に連結している。
【００３６】
装着台８０は、図２２ないし図２４に示すように、チルト台９０を傾動自在に配置するスライド凹部８１を表面側に設けている。装着台８０は、長方形の周壁８２の内側にスライド凹部８１を設けて、このスライド凹部８１にチルト台９０をセットしており、この周壁８２の内側に沿ってチルト台９０を移動できるようにしている。図の装着台８０は、チルト台９０を横方向と縦方向に傾動できるように、スライド凹部８１の形状を、横方向において中央凹に湾曲すると共に、縦方向においても中央凹に湾曲する湾曲面形状としている。この形状のスライド凹部８１は、チルト台９０の背面に設けたスライド凸部９３をスライド凹部８１の中央部に沿ってスライドさせながら、チルト台９０の両端縁をスライド凹部８１の両端縁であって周壁８２の内面に沿って移動させてチルド台９０を傾動させる。
【００３７】
さらに、装着台８０は、図２４に示すように、スライド凹部８１の中央部に、スライド凸部９３のスライド軸９４をスライドさせるガイド部８４を設けている。図に示すガイド部８４は、横方向に延びる横スリット８４Ａと、縦方向に延びる縦スリット８４Ｂからなる２条のスリットを、底面プレート８３の中央部に交差して開口している。横スリット８４Ａは、スライド凹部８１の縦方向の中央に位置して設けており、縦スリット８４Ｂは、横方向の中央に位置して設けている。この装着台８０は、図２２に示すように、チルト台９０のスライド軸９４を横スリット８４Ａに沿って移動させて、携帯電話１０を横姿勢で装着するチルド台９０を垂直面内で傾動させる。また、装着台８０は、図２３に示すように、チルト台９０のスライド軸９４を縦スリット８４Ｂに沿って移動させて、携帯電話１０を縦姿勢で装着するチルド台９０を垂直面内で傾動させる。チルト台９０の傾動角（β）は、スライド凹部８１の曲率半径とチルト台９０のスライド量で特定される。チルト台９０の傾動角（β）は、たとえば、装着台８０に対して、−１０〜＋１０度となるように設計することができる。
【００３８】
この充電台は、前述の実施例と同様に、背面に角度調整ブロック３０を備えている。この充電台は、角度調整ブロック３０を回転して装着台８０の水平台に対する角度を調整すると共に、携帯電話１０をセットしたチルト台９０を装着台８０に対して傾動させて、角度調整ブロック３０とチルト台９０の両方で携帯電話１０を理想的な仰角（θ）に調整できる特徴がある。この充電台は、角度調整ブロック３０のテーパー面３２の傾斜角（α）を、たとえば、図２と同様にして、横姿勢で４０度、５０度、６０度のテーパー面３２を水平台に置いて使用し、また、縦姿勢で５０度、６０度、７０度のテーパー面３２を水平台に置いて使用する構造とする場合、選択されるテーパー面３２で特定される仰角（θ）の差が１０度となる。したがって、装着台８０に対するチルト台９０の傾動角（β）を、−５〜＋５度とすることによって、横姿勢における仰角を２５〜５５度の範囲で任意に調整でき、縦姿勢における仰角を１５〜４５度の範囲で任意に調整できる。この充電台は、チルト台９０の傾動角（β）の範囲を、好ましくは、角度調整ブロック３０のテーパー面３２の傾斜角（α）の差以上として、チルト台に装着される携帯電話の仰角を理想的に調整できる。ただ、チルト台の傾動角（β）の範囲は、角度調整ブロックのテーパー面の傾斜角（α）の差よりも小さくすることもできる。
【図面の簡単な説明】
【００３９】
【図１】本発明の一実施例にかかる携帯電話の充電台を横姿勢で使用する状態を示す斜視図である。
【図２】図１に示す携帯電話の充電台を裏側から見た底面斜視図である。
【図３】図１に示す携帯電話の充電台を縦姿勢で使用する状態を示す斜視図である。
【図４】図１に示す携帯電話の充電台の水平断面図である。
【図５】図４に示す携帯電話の充電台のＡ−Ａ線断面図である。
【図６】図２に示す携帯電話の充電台の分解斜視図である。
【図７】図６に示す携帯電話の充電台を下側から見た分解斜視図である。
【図８】図７に示す装着台の分解斜視図である。
【図９】図１に示す携帯電話の充電台を横姿勢で使用する一例を示す側面図である。
【図１０】図１に示す携帯電話の充電台を横姿勢で使用する他の一例を示す側面図である。
【図１１】図１に示す携帯電話の充電台を横姿勢で使用する他の一例を示す側面図である。
【図１２】図３に示す携帯電話の充電台を縦姿勢で使用する一例を示す側面図である。
【図１３】図３に示す携帯電話の充電台を縦姿勢で使用する他の一例を示す側面図である。
【図１４】図３に示す携帯電話の充電台を縦姿勢で使用する他の一例を示す側面図である。
【図１５】本発明の他の実施例にかかる携帯電話の充電台を横姿勢で使用する状態を示す斜視図である。
【図１６】図１５に示す携帯電話の充電台を裏側から見た底面斜視図である。
【図１７】図１５に示す携帯電話の充電台を横姿勢で使用する一例を示す側面図である。
【図１８】図１５に示す携帯電話の充電台を横姿勢で使用する他の一例を示す側面図である。
【図１９】図１５に示す携帯電話の充電台を横姿勢で使用する他の一例を示す側面図である。
【図２０】図１５に示す携帯電話の充電台を縦姿勢で使用する一例を示す側面図である。
【図２１】本発明の他の実施例にかかる携帯電話の充電台の斜視図である。
【図２２】図２１に示す携帯電話の充電台を横姿勢で使用する一例を示す一部断面側面図である。
【図２３】図２１に示す携帯電話の充電台を縦姿勢で使用する一例を示す一部断面側面図である。
【図２４】図２１に示す携帯電話の充電台の装着台の斜視図である。
【符号の説明】
【００４０】
１０…携帯電話
１１…モニタ
１５…充電端子
２０…装着台
２１…装着部
２２…周壁
２３…底面プレート
２４…背面プレート
２５…ガイド筒
２６…中心凸部
２７…ストッパ
２８…係止凸部
３０…角度調整ブロック
３１…底面
３２…テーパー面              ３２Ａ…第１のテーパー面
３２Ｂ…第２のテーパー面
３２Ｃ…第３のテーパー面
３２Ｄ…第４のテーパー面
３３…連結ボス
３４…凹部
３５…貫通孔
３６…位置決凸部
４０…回転軸
４１…鍔部
４２…中心孔
４３…アーム
４５…止ネジ
４６…位置決凹部
５０…水平台
７０…角度調整ブロック
７１…底面
７２…テーパー面              ７２Ａ…第１のテーパー面
７２Ｂ…第２のテーパー面
７２Ｃ…第３のテーパー面
７２Ｄ…第４のテーパー面
８０…装着台
８１…スライド凹部
８２…周壁
８３…底面プレート
８４…ガイド部                ８４Ａ…横スリット
８４Ｂ…縦スリット
９０…チルト台
９１…装着部
９２…周壁
９３…スライド凸部
９４…スライド軸
９５…押圧部材
９６…固定具
【図１】
0004942576.tif 000002
【図２】
0004942576.tif 000003
【図３】
0004942576.tif 000004
【図４】
0004942576.tif 000005
【図５】
0004942576.tif 000006
【図６】
0004942576.tif 000007
【図７】
0004942576.tif 000008
【図８】
0004942576.tif 000009
【図９】
0004942576.tif 000010
【図１０】
0004942576.tif 000011
【図１１】
0004942576.tif 000012
【図１２】
0004942576.tif 000013
【図１３】
0004942576.tif 000014
【図１４】
0004942576.tif 000015
【図１５】
0004942576.tif 000016
【図１６】
0004942576.tif 000017
【図１７】
0004942576.tif 000018
【図１８】
0004942576.tif 000019
【図１９】
0004942576.tif 000020
【図２０】
0004942576.tif 000021
【図２１】
0004942576.tif 000022
【図２２】
0004942576.tif 000023
【図２３】
0004942576.tif 000024
【図２４】
0004942576.tif 000025